【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
コンテンツの再生順を決定する条件情報、コンテンツ、及び、前記コンテンツの付帯情報を記憶する記憶部と、
ネットワークに参加している他の通信端末に、前記記憶部で記憶されている条件情報を無線送信する、及び、前記無線送信された条件情報の応答として、前記他の通信端末から、前記他の通信端末に記憶されているコンテンツの付帯情報を無線受信する通信部と、
前記記憶部で記憶されているコンテンツの付帯情報と、前記通信部で無線受信された前記他の通信端末に記憶されているコンテンツの付帯情報と、を比較して、前記記憶部で記憶されているコンテンツと、前記他の通信端末に記憶されているコンテンツと、の中から、前記記憶部で記憶されている条件情報に適合するコンテンツを選択する選択部と、
を有し、
前記通信部は、前記記憶部で記憶されているコンテンツが前記選択部によって選択された場合、前記選択されたコンテンツを前記他の通信端末に無線送信し、
前記他の通信端末に記憶されているコンテンツが前記選択部によって選択された場合、前記選択されたコンテンツを記憶している前記他の通信端末に、前記選択されたコンテンツを無線送信させるメッセージを無線送信する
ことを特徴とする通信端末。
【請求項２】
前記通信部は、コンテンツの配信権が与えられている場合にのみ、前記記憶部で記憶されているコンテンツを前記他の通信端末に無線送信する請求項１に記載の通信端末。
【請求項３】
前記通信部は、前記配信権が与えられている場合にのみ、前記記憶部で記憶されている条件情報を前記他の通信端末に無線送信する請求項２に記載の通信端末。
【請求項４】
前前記配信権が与えられている場合であって前記他の通信端末に記憶されているコンテンツが前記選択部によって選択された場合、前記配信権を、前記選択されたコンテンツを記憶する前記他の通信端末と交代すると判定する配信判定部を更に有する請求項２に記載の通信端末。
【請求項５】
前記配信権が与えられている場合であって前記記憶部で記憶されているコンテンツが前記選択部によって選択された場合、前記配信権を、前記他の通信端末と交代しないと判定する配信判定部を更に有する請求項２に記載の通信端末。
【請求項６】
前記ネットワークに参加した後、前記他の通信端末に対して所定の宣言通知が無線送信された場合であって、所定の期間内に前記他の通信端末からの所定の宣言通知が無線受信されなかった場合、前記配信権が与えられていると判定する配信判定部を更に有する請求項２に記載の通信端末。
【請求項７】
前記ネットワークに参加した後、前記他の通信端末に対して所定の宣言通知が無線送信され、かつ、前記他の通信端末から所定の宣言通知が無線受信された場合、前記無線受信された宣言通知に係る宣言時刻よりも前記無線送信された宣言通知に係る宣言時刻のほうが先の時刻であるとき、前記配信権が与えられていると判定する配信判定部を更に有する請求項２に記載の通信端末。
【請求項８】
前記通信部は、前記記憶部で記憶されているコンテンツを前記他の通信端末にマルチキャストで無線送信する請求項２に記載の通信端末。
【請求項９】
前記通信部で無線送信されたコンテンツを表示する表示部を更に有する請求項１に記載の通信端末。
【請求項１０】
前記通信部は、前記メッセージの無線送信先である他の通信端末から無線送信されたコンテンツを無線受信する請求項１に記載の通信端末。
【請求項１１】
前記通信部は、前記他の通信端末から無線送信されたコンテンツをマルチキャストで無線受信する請求項１０に記載の通信端末。
【請求項１２】
前記通信部で無線受信されたコンテンツを表示する表示部を更に有する請求項１０に記載の通信端末。
【請求項１３】
前記通信部は、前記他の通信端末から、前記条件情報、及び、前記他の通信端末が記憶しているコンテンツを無線受信し、
前記選択部は、前記記憶部で記憶されているコンテンツの中から前記無線受信された条件情報に適合するコンテンツを検索し、
前記通信部は、前記選択部で前記無線受信された条件情報に適合するコンテンツが検索された場合、前記無線受信された条件情報の応答として、前記他の通信端末に、前記選択部で検索されたコンテンツの付帯情報を無線送信する請求項１に記載の通信端末。
【請求項１４】
前記通信部は、前記付帯情報の無線送信先である前記他の通信端末から、前記記憶部に記憶されているコンテンツを無線送信するメッセージを無線受信し、前記メッセージが無線受信されたあとに、前記記憶部に記憶されているコンテンツを前記他の通信端末に無線送信する請求項１３に記載の通信端末。
【請求項１５】
前記通信部は、前記他の通信端末から前記条件情報をマルチキャストで無線受信する請求項１３に記載の通信端末。
【請求項１６】
前記通信部は、
コンテンツの配信権が与えられている場合にのみ、前記記憶部で記憶されているコンテンツを前記他の通信端末に無線送信し、
前記配信権が与えられていない場合にのみ、前記他の通信端末から前記条件情報及び前記他の通信端末が記憶しているコンテンツを無線受信し、かつ、前記選択部で前記条件情報に適合するコンテンツが検索されると、前記無線受信された条件情報の応答として前記他の通信端末に前記選択部で検索されたコンテンツの付帯情報を無線送信する請求項１３に記載の通信端末。
【請求項１７】
前記通信部は、コンテンツの配信権が与えられている場合にのみ、前記記憶部で記憶されているコンテンツを前記他の通信端末に無線送信し、前記配信権が与えられているかいないかに関らず、前記記憶部で記憶されている条件情報を前記他の通信端末に無線送信する請求項１に記載の通信端末。
【請求項１８】
前記通信部は、前記記憶部で記憶されている条件情報を前記他の通信端末にマルチキャストで無線送信する請求項１に記載の通信端末。
【請求項１９】
前記通信部で無線受信された前記他の通信端末に記憶されているコンテンツの付帯情報に基づいて、前記記憶部で記憶されている条件情報を更新する更新部を更に有することを特徴とする請求項１に記載の通信端末。
【請求項２０】
前記記憶部で記憶されている条件情報を更新する更新部を更に有し、
前記通信部は、前記他の通信端末から前記条件情報を無線受信し、
前記更新部は、前記通信部で無線受信された前記条件情報に基づいて、前記記憶部で記憶されている条件情報を更新する請求項１に記載の通信端末。
【請求項２１】
前記他の通信端末は、コンテンツの配信権が与えられている場合にのみコンテンツを配信する通信端末であり、
前記通信部は、前記選択されたコンテンツを記憶している前記他の通信端末に、前記メッセージとして、前記配信権を与えるメッセージを無線送信する請求項１に記載の通信端末。
【請求項２２】
前記通信部は、前記選択されたコンテンツを記憶している前記他の通信端末に、前記他の通信端末に記憶しているコンテンツを配信させる配信指示メッセージを無線送信する請求項１に記載の通信端末。
【請求項２３】
前記コンテンツは画像データである請求項１〜請求項２２のいずれか一項に記載の通信端末。
【請求項２４】
コンテンツ及び前記コンテンツの付帯情報を記憶する記憶部と、
ネットワークに参加している他の通信端末から、コンテンツの再生順を決定する条件情報、及び、前記他の通信端末が記憶しているコンテンツを無線受信する通信部と、
前記通信部で無線受信されたコンテンツを再生する再生部と、
前記記憶部で記憶されているコンテンツの中から前記無線受信された条件情報に適合するコンテンツを検索する選択部と、
を有し、
前記通信部は、前記選択部で前記無線受信された条件情報に適合するコンテンツが検索された場合、前記無線受信された条件情報の応答として、前記他の通信端末に、前記選択部で検索されたコンテンツの付帯情報を無線送信する
ことを特徴とする通信端末。
【請求項２５】
前記通信部は、前記付帯情報の無線送信先である前記他の通信端末から、前記記憶部に記憶されているコンテンツを無線送信するメッセージを無線受信する請求項２４に記載の通信端末。
【請求項２６】
前記通信部は、前記他の通信端末から前記条件情報をマルチキャストで無線受信する請求項２４に記載の通信端末。
【請求項２７】
前記通信部は、
コンテンツの配信権が与えられている場合にのみ、前記記憶部で記憶されているコンテンツを前記他の通信端末に無線送信し、
前記配信権が与えられていない場合にのみ、前記他の通信端末から前記条件情報及び前記他の通信端末が記憶しているコンテンツを無線受信し、かつ、前記選択部で前記条件情報に適合するコンテンツが検索されると、前記無線受信された条件情報の応答として前記他の通信端末に前記選択部で検索されたコンテンツの付帯情報を無線送信する請求項２４に記載の通信端末。
【請求項２８】
ネットワークに参加している他の通信端末に、コンテンツの再生順を決定する条件情報を無線送信する送信ステップと、
前記送信ステップで前記無線送信された条件情報の応答として、前記他の通信端末から、前記他の通信端末に記憶されているコンテンツの付帯情報を無線受信する受信ステップと、
記憶されているコンテンツの付帯情報と、前記受信ステップで前記無線受信されたコンテンツの付帯情報と、を比較して、前記記憶されているコンテンツと、前記他の通信端末に記憶されているコンテンツと、の中から、前記送信ステップで無線送信された条件情報に適合するコンテンツを選択する選択ステップと、
前記選択ステップで、前記他の通信端末に記憶されているコンテンツが選択された場合、前記選択されたコンテンツを記憶している前記他の通信端末に、前記選択されたコンテンツを無線送信させるメッセージを無線送信する指示ステップと、
を有することを特徴とする通信端末の通信方法。
【手続補正２】
【補正対象書類名】明細書
【補正対象項目名】発明の名称
【補正方法】変更
【補正の内容】
【発明の名称】通信端末およびその通信方法
【手続補正３】
【補正対象書類名】明細書
【補正対象項目名】０００１
【補正方法】変更
【補正の内容】
【０００１】
本発明は、通信機能を有し、他の通信端末と電子データを共有する通信端末およびその通信方法に関する。
【手続補正４】
【補正対象書類名】明細書
【補正対象項目名】０００５
【補正方法】変更
【補正の内容】
【０００５】
本発明は、上述した課題に鑑みてなされたものであって、状況の変化を反映したデータ共有を実現することができる通信端末およびその通信方法を提供することを目的とする。
【手続補正５】
【補正対象書類名】明細書
【補正対象項目名】０００６
【補正方法】変更
【補正の内容】
【０００６】
本発明は、上記の課題を解決するためになされたもので、コンテンツの再生順を決定する条件情報、コンテンツ、及び、前記コンテンツの付帯情報を記憶する記憶部と、ネットワークに参加している他の通信端末に、前記記憶部で記憶されている条件情報を無線送信する、及び、前記無線送信された条件情報の応答として、前記他の通信端末から、前記他の通信端末に記憶されているコンテンツの付帯情報を無線受信する通信部と、前記記憶部で記憶されているコンテンツの付帯情報と、前記通信部で無線受信された前記他の通信端末に記憶されているコンテンツの付帯情報と、を比較して、前記記憶部で記憶されているコンテンツと、前記他の通信端末に記憶されているコンテンツと、の中から、前記記憶部で記憶されている条件情報に適合するコンテンツを選択する選択部と、を有し、前記通信部は、前記記憶部で記憶されているコンテンツが前記選択部によって選択された場合、前記選択されたコンテンツを前記他の通信端末に無線送信し、前記他の通信端末に記憶されているコンテンツが前記選択部によって選択された場合、前記選択されたコンテンツを記憶している前記他の通信端末に、前記選択されたコンテンツを無線送信させるメッセージを無線送信することを特徴とする通信端末である。
【手続補正６】
【補正対象書類名】明細書
【補正対象項目名】０００７
【補正方法】変更
【補正の内容】
【０００７】
また、本発明の通信端末において、前記通信部は、コンテンツの配信権が与えられている場合にのみ、前記記憶部で記憶されているコンテンツを前記他の通信端末に無線送信する。
【手続補正７】
【補正対象書類名】明細書
【補正対象項目名】０００８
【補正方法】変更
【補正の内容】
【０００８】
また、本発明の通信端末において、前記通信部は、前記配信権が与えられている場合にのみ、前記記憶部で記憶されている条件情報を前記他の通信端末に無線送信する。
【手続補正８】
【補正対象書類名】明細書
【補正対象項目名】０００９
【補正方法】変更
【補正の内容】
【０００９】
また、本発明の通信端末は、前前記配信権が与えられている場合であって前記他の通信端末に記憶されているコンテンツが前記選択部によって選択された場合、前記配信権を、前記選択されたコンテンツを記憶する前記他の通信端末と交代すると判定する配信判定部を更に有する。
【手続補正９】
【補正対象書類名】明細書
【補正対象項目名】００１０
【補正方法】変更
【補正の内容】
【００１０】
また、本発明の通信端末は、前記配信権が与えられている場合であって前記記憶部で記憶されているコンテンツが前記選択部によって選択された場合、前記配信権を、前記他の通信端末と交代しないと判定する配信判定部を更に有する。
また、本発明の通信端末は、前記ネットワークに参加した後、前記他の通信端末に対して所定の宣言通知が無線送信された場合であって、所定の期間内に前記他の通信端末からの所定の宣言通知が無線受信されなかった場合、前記配信権が与えられていると判定する配信判定部を更に有する。
また、本発明の通信端末は、前記ネットワークに参加した後、前記他の通信端末に対して所定の宣言通知が無線送信され、かつ、前記他の通信端末から所定の宣言通知が無線受信された場合、前記無線受信された宣言通知に係る宣言時刻よりも前記無線送信された宣言通知に係る宣言時刻のほうが先の時刻であるとき、前記配信権が与えられていると判定する配信判定部を更に有する。
また、本発明の通信端末において、前記通信部は、前記記憶部で記憶されているコンテンツを前記他の通信端末にマルチキャストで無線送信する。
また、本発明の通信端末は、前記通信部で無線送信されたコンテンツを表示する表示部を更に有する。
また、本発明の通信端末において、前記通信部は、前記メッセージの無線送信先である他の通信端末から無線送信されたコンテンツを無線受信する。
また、本発明の通信端末において、前記通信部は、前記他の通信端末から無線送信されたコンテンツをマルチキャストで無線受信する。
また、本発明の通信端末は、前記通信部で無線受信されたコンテンツを表示する表示部を更に有する。
また、本発明の通信端末において、前記通信部は、前記他の通信端末から、前記条件情報、及び、前記他の通信端末が記憶しているコンテンツを無線受信し、前記選択部は、前記記憶部で記憶されているコンテンツの中から前記無線受信された条件情報に適合するコンテンツを検索し、前記通信部は、前記選択部で前記無線受信された条件情報に適合するコンテンツが検索された場合、前記無線受信された条件情報の応答として、前記他の通信端末に、前記選択部で検索されたコンテンツの付帯情報を無線送信する。
また、本発明の通信端末において、前記通信部は、前記付帯情報の無線送信先である前記他の通信端末から、前記記憶部に記憶されているコンテンツを無線送信するメッセージを無線受信し、前記メッセージが無線受信されたあとに、前記記憶部に記憶されているコンテンツを前記他の通信端末に無線送信する。
また、本発明の通信端末において、前記通信部は、前記他の通信端末から前記条件情報をマルチキャストで無線受信する。
また、本発明の通信端末において、前記通信部は、コンテンツの配信権が与えられている場合にのみ、前記記憶部で記憶されているコンテンツを前記他の通信端末に無線送信し、前記配信権が与えられていない場合にのみ、前記他の通信端末から前記条件情報及び前記他の通信端末が記憶しているコンテンツを無線受信し、かつ、前記選択部で前記条件情報に適合するコンテンツが検索されると、前記無線受信された条件情報の応答として前記他の通信端末に前記選択部で検索されたコンテンツの付帯情報を無線送信する。
また、本発明の通信端末において、前記通信部は、コンテンツの配信権が与えられている場合にのみ、前記記憶部で記憶されているコンテンツを前記他の通信端末に無線送信し、前記配信権が与えられているかいないかに関らず、前記記憶部で記憶されている条件情報を前記他の通信端末に無線送信する。
また、本発明の通信端末において、前記通信部は、前記記憶部で記憶されている条件情報を前記他の通信端末にマルチキャストで無線送信する。
また、本発明の通信端末は、前記通信部で無線受信された前記他の通信端末に記憶されているコンテンツの付帯情報に基づいて、前記記憶部で記憶されている条件情報を更新する更新部を更に有することを特徴とする。
また、本発明の通信端末は、前記記憶部で記憶されている条件情報を更新する更新部を更に有し、前記通信部は、前記他の通信端末から前記条件情報を無線受信し、前記更新部は、前記通信部で無線受信された前記条件情報に基づいて、前記記憶部で記憶されている条件情報を更新する。
また、本発明の通信端末において、前記他の通信端末は、コンテンツの配信権が与えられている場合にのみコンテンツを配信する通信端末であり、前記通信部は、前記選択されたコンテンツを記憶している前記他の通信端末に、前記メッセージとして、前記配信権を与えるメッセージを無線送信する。
また、本発明の通信端末において、前記通信部は、前記選択されたコンテンツを記憶している前記他の通信端末に、前記他の通信端末に記憶しているコンテンツを配信させる配信指示メッセージを無線送信する。
また、本発明の通信端末において、前記コンテンツは画像データである。
また、本発明は、コンテンツ及び前記コンテンツの付帯情報を記憶する記憶部と、ネットワークに参加している他の通信端末から、コンテンツの再生順を決定する条件情報、及び、前記他の通信端末が記憶しているコンテンツを無線受信する通信部と、前記通信部で無線受信されたコンテンツを再生する再生部と、前記記憶部で記憶されているコンテンツの中から前記無線受信された条件情報に適合するコンテンツを検索する選択部と、を有し、前記通信部は、前記選択部で前記無線受信された条件情報に適合するコンテンツが検索された場合、前記無線受信された条件情報の応答として、前記他の通信端末に、前記選択部で検索されたコンテンツの付帯情報を無線送信することを特徴とする通信端末である。
また、本発明の通信端末において、前記通信部は、前記付帯情報の無線送信先である前記他の通信端末から、前記記憶部に記憶されているコンテンツを無線送信するメッセージを無線受信する。
また、本発明の通信端末において、前記通信部は、前記他の通信端末から前記条件情報をマルチキャストで無線受信する。
また、本発明の通信端末において、前記通信部は、コンテンツの配信権が与えられている場合にのみ、前記記憶部で記憶されているコンテンツを前記他の通信端末に無線送信し、前記配信権が与えられていない場合にのみ、前記他の通信端末から前記条件情報及び前記他の通信端末が記憶しているコンテンツを無線受信し、かつ、前記選択部で前記条件情報に適合するコンテンツが検索されると、前記無線受信された条件情報の応答として前記他の通信端末に前記選択部で検索されたコンテンツの付帯情報を無線送信する。
また、本発明は、ネットワークに参加している他の通信端末に、コンテンツの再生順を決定する条件情報を無線送信する送信ステップと、前記送信ステップで前記無線送信された条件情報の応答として、前記他の通信端末から、前記他の通信端末に記憶されているコンテンツの付帯情報を無線受信する受信ステップと、記憶されているコンテンツの付帯情報と、前記受信ステップで前記無線受信されたコンテンツの付帯情報と、を比較して、前記記憶されているコンテンツと、前記他の通信端末に記憶されているコンテンツと、の中から、前記送信ステップで無線送信された条件情報に適合するコンテンツを選択する選択ステップと、前記選択ステップで、前記他の通信端末に記憶されているコンテンツが選択された場合、前記選択されたコンテンツを記憶している前記他の通信端末に、前記選択されたコンテンツを無線送信させるメッセージを無線送信する指示ステップと、を有することを特徴とする通信端末の通信方法である。
【手続補正１０】
【補正対象書類名】明細書
【補正対象項目名】００１１
【補正方法】変更
【補正の内容】
【００１１】
本発明によれば、通信端末の選択部が、次に再生すべきコンテンツを選択する際に、通信端末の記憶部に記憶されたコンテンツを選択の対象の一部としているので、通信端末の記憶部に記憶されたコンテンツが増加又は減少するなどの状況の変化が生じても、選択部によるコンテンツの選択に対して、その状況の変化を反映させることが可能となる。また、データ共有に参加している他の通信端末から、他の通信端末に記憶されているコンテンツの付帯情報が受信されるので、データ共有に参加する他の通信端末が増加又は減少する、あるいはデータ共有に参加している他の通信端末が所有するコンテンツが増加又は減少するなどの状況の変化が生じても、選択部によるコンテンツの選択に対して、その状況の変化を反映させることが可能となる。従って、状況の変化を反映したデータ共有を実現することができる。